(57)【要約】【課題】最近では、ダウンロードにより音楽・映像データを購入することが多くなっているが、当該データそのものは無形であるため、所有する喜びに欠けるものとなっており、ダウンロードに際しても複雑な手順が要求される。  そこで、ダウンロードで当該データを購入する場合であっても、付加価値をつけて提供することによって、ユーザーの所有欲を満たすことができ、手軽にダウンロード可能な音楽・映像データ配信システムを提供する。【解決手段】音楽・映像データ情報の識別情報を印刷した印刷媒体を使用して、当該データを提供することとして、音楽・映像データ配信サーバと、音楽・映像再生装置とが、通信ネットワークを介して接続された音楽・映像データ配信システムであることを特徴とする。【選択図】  図２
2011257890.tif 000002
【特許請求の範囲】
【請求項１】
通信ネットワークを介して、音楽・映像データ配信サーバと、印刷媒体に印刷された音楽・映像データ情報の識別情報を読取る光学式読取手段を備えた音楽・映像再生装置とが、相互に接続された音楽・映像データ配信システムであって、前記音楽・映像再生装置は、前記音楽・映像データ配信サーバに対して、前記識別情報に対応した音楽・映像データの送信を要求する送信要求手段と、前記音楽・映像配信サーバから送信される前記音楽・映像データを受信するデータ受信手段と、前記音楽・映像データを格納する記憶手段と、前記記憶手段に格納されている前記音楽・映像データを再生する再生手段とを備えていることを特徴とする音楽・映像データ配信システム
【請求項２】
前記音楽・映像再生装置は、前記音楽・映像データ配信サーバから受信した前記音楽・映像データが記憶手段に格納された後、当該音楽・映像データの再生が開始されることを特徴とする請求項１記載の音楽・映像データ配信システム
【請求項３】
前記音楽・映像再生装置は、前記光学式読取手段が、前記記憶手段に格納されている前記音楽・映像データに対応する前記識別情報を読取った場合に、前記音楽・映像データ配信サーバに対して、送信要求を行わないことを特徴とする請求項１乃至２いずれか記載の音楽・映像データ配信システム
【請求項４】
前記音楽・映像再生装置は、前記光学式読取手段が、前記記憶手段に格納されている前記音楽・映像データに対応する前記識別情報を読取った場合に、当該音楽・映像データの再生が開始されることを特徴とする請求項３記載の音楽・映像データ配信システム
【請求項５】
前記音楽・映像再生装置は、前記光学式読取手段に複数の識別情報読取部を備え、前記識別情報を読取る前記識別情報読取部を選択できることを特徴とする請求項１乃至４いずれか記載の音楽・映像データ配信システム
【請求項６】
前記音楽・映像再生装置は、前記識別情報読取部が前記識別情報を読取れる状態で、前記印刷媒体を保持することができることを特徴とする請求項１乃至５いずれか記載の音楽・映像データ配信システム
【請求項７】
前記音楽・映像再生装置は、保持された前記印刷媒体を可視できることを特徴とする
請求項６記載の音楽・映像データ配信システム
【請求項８】
前記印刷媒体は紙であることを特徴とする請求項１乃至７いずれか記載の音楽・映像データ配信システム
【請求項９】
前記印刷媒体はコンパクトディスクと同サイズの直径８ｃｍ又は１２ｃｍの円盤形状であることを特徴とする請求項１乃至８いずれか記載の音楽・映像データ配信システム
【発明の詳細な説明】
【技術分野】
【０００１】
本発明は、通信ネットワークを利用した音楽・映像データ配信システムに関する。
【背景技術】
【０００２】
通信ネットワークを利用した音楽配信システムとして、特定の顧客にのみ音楽データを配信したり、ダウンロードする際に過去に選択した音楽データを除外するようにした技術が開示されている。
【特許文献１】特開２００２−２０２７８３号公報
【特許文献２】特開２０００−３３１０９０号公報
【発明の概要】
【発明が解決しようとする課題】
【０００３】
従来においては、ユーザーが希望の音楽を聞こうとする場合、コンパクトディスク、レコード、カセットテープ等の媒体を購入し、それぞれの再生装置を使用し、音楽を鑑賞していた。
しかし、最近では、パソコン、携帯電話、インターネットの普及によって、音楽データを音楽データ配信サーバからダウンロードし、携帯電話等に格納して、当該装置にて再生し、音楽を楽しむという手段が普及してきている。それにともなって、コンパクトディスク等の媒体の売上が減少するとともに、それらの製造枚数、販売店も減少してきているという状況にある。
さらに、その販売店についても、多種の在庫を揃えている店舗は都市部の一部に限られており、誰もがいつでもどこでも希望の音楽のコンパクトディスク等を購入できるとは限らない状況となっている。
【０００４】
映像においても同様の状況であり、ＤＶＤ（登録商標）、ビデオテープ等の媒体から、映像配信サーバから映像データをダウンロードして観賞したり、オンデマンドで配信される映像を観賞するという方法が普及しつつある。
【０００５】
前記コンパクトディスク等の媒体はパッケージメディアであり、コンパクトディスク本体以外にも、ジャケット写真、歌詞カード等が封入されたケース入りであって、ユーザーがこれらを購入することにより、希望の音楽データを入手する以外に、付加価値が存在し、ユーザーの所有欲を刺激するものとなっている。
しかし、ダウンロードという方法をとる場合、多くの音楽データをダウンロードしても、記憶するデータ量は増えていくものの、音楽データそのものは無形であることから、所有する喜びに欠けるため、パッケージメディアを購入しようと思っても、希望のものが発売されていなかったり、入手が困難な場合があるという問題があった。
さらに、音楽・映像データをダウンロードする場合、パソコン・携帯電話等から、当該データの提供サイトに接続して、希望の曲等を選んでダウンロードする必要があり、ある程度の知識が要求され、手間がかかる等、手軽に音楽・映像データをダウンロードできるシステムの提供を求めるユーザーからの要求がある。
【０００６】
そこで、手軽に希望の音楽を購入できるように、ユーザーが音楽・映像データ配信サーバから音楽・映像データをダウンロードできることとして、現在のユーザーが慣れ親しんでいる利用態様に合わせるとともに、印刷媒体により音楽・映像データの識別情報を提供することとして、それら印刷媒体に付加価値をつけて、ユーザーの所有欲を満たすことができる音楽・映像データ配信システムを提供することを目的とする。
【課題を解決するための手段】
【０００７】
請求項１記載の音楽・映像データ配信システムは、通信ネットワークを介して、音楽・映像データ配信サーバと、印刷媒体に印刷された音楽・映像データ情報の識別情報を読取る光学式読取手段を備えた音楽・映像再生装置とが、相互に接続された音楽・映像データ配信システムであって、前記音楽・映像再生装置は、前記音楽・映像データ配信サーバに対して、前記識別情報に対応した音楽・映像データの送信を要求する送信要求手段と、前記音楽・映像配信サーバから送信される前記音楽・映像データを受信するデータ受信手段と、前記音楽・映像データを格納する記憶手段と、前記記憶手段に格納されている前記音楽・映像データを再生する再生手段とを備えていることを特徴とする。
【０００８】
前記の発明によれば、音楽・映像データの識別情報を印刷した媒体を使用して、当該音楽・映像データをダウンロード可能な音楽・映像データ配信システムを提供することができる。
【０００９】
請求項２記載の音楽・映像データ配信システムは、前記音楽・映像再生装置は、前記音楽・映像データ配信サーバから受信した前記音楽・映像データが記憶手段に格納された後、当該音楽・映像データの再生が開始されることを特徴とする請求項１記載の音楽・映像データ配信システムに関する。
【００１０】
前記の発明によれば、ダウンロードした音楽・映像データが音楽・映像再生装置に格納された後、ユーザーに特段の作業を要求することなく、当該データの再生が開始される音楽・映像データ配信システムを提供することができる。
【００１１】
請求項３記載の音楽・映像データ配信システムは、前記音楽・映像再生装置は、前記光学式読取手段が、前記記憶手段に格納されている前記音楽・映像データに対応する前記識別情報を読取った場合に、前記音楽・映像データ配信サーバに対して、送信要求を行わないことを特徴とする請求項１乃至２いずれか記載の音楽・映像データ配信システムに関する。
【００１２】
前記の発明によれば、すでにダウンロード済みの音楽・映像データを、ユーザーが無駄に再ダウンロードすることを防ぐことができる音楽・映像データ配信システムを提供することができる。
【００１３】
請求項４記載の音楽・映像データ配信システムは、前記音楽・映像再生装置は、前記光学式読取手段が、前記記憶手段に格納されている前記音楽・映像データに対応する前記識別情報を読取った場合に、当該音楽・映像データの再生が開始されることを特徴とする請求項３記載の音楽・映像データ配信システムに関する。
【００１４】
前記の発明によれば、すでにダウンロード済みの音楽・映像データの印刷媒体がセットされた場合には、当該データが再ダウンロードされることなく、再生が開始され、ユーザーはダウンロード済であるか否かを特に気にすることなく、音楽・映像を楽しむことができる。
【００１５】
請求項５記載の音楽・映像データ配信システムは、前記音楽・映像再生装置は、前記光学式読取手段に複数の情報読取部を備え、前記識別情報を読取る前記識別情報読取部を選択できることを特徴とする請求項１乃至４いずれか記載の音楽・映像データ配信システムに関する。
【００１６】
前記の発明によれば、複数の印刷媒体を音楽・映像再生装置にセットすることができ、ユーザーが印刷媒体の交換作業を行う手間を軽減することができる。
【００１７】
請求項６記載の音楽・映像データ配信システムは、前記音楽・映像再生装置は、前記光学式読取手段が前記識別情報を読取れる状態で、前記印刷媒体を保持することができることを特徴とする請求項１乃至５いずれか記載の音楽・映像データ配信システムに関する。
【００１８】
前記の発明によれば、音楽・映像再生装置に印刷媒体をセットした状態を維持することができる。
【００１９】
請求項７記載の音楽・映像データ配信システムは、前記音楽・映像再生装置は、保持された前記印刷媒体を可視できることを特徴とする請求項５記載の音楽・映像データ配信システムに関する。
【００２０】
コンパクトディスク等のディスク状の媒体は高速で回転するため、再生中はレーベル等を可視することはできないが、本発明に使用する印刷媒体は再生中も静止しているため、音楽・映像を観賞しつつ、印刷媒体に印刷された写真等を観賞するといったことが可能となり、演奏するアーティストの写真を見ながら、そのアーティストの演奏する音楽を楽しむというような付加価値をユーザーに与えることができる。
【００２１】
請求項８記載の音楽・映像データ配信システムは、前記印刷媒体は紙であることを特徴とする請求項１乃至７いずれか記載の音楽・映像データ配信システムに関する。
【００２２】
印刷媒体には、音楽・映像データ自体でなく、その識別情報のみを記憶すれば足りることから、コンパクトディスク等のように大容量のデータを収める必要がなく、バーコード等を印刷することにより識別が可能であるため、紙を使用して、製造コストを削減することが可能となる。
【００２３】
請求項９記載の音楽・映像データ配信システムは、前記印刷媒体はコンパクトディスクと同サイズの直径８ｃｍ又は１２ｃｍの円盤形状であることを特徴とする請求項１乃至８いずれか記載の音楽・映像データ配信システムに関する。
【００２４】
印刷媒体をコンパクトディスクと同サイズとすることにより、ＣＤ（コンパクトディスク）・ＤＶＤ（登録商標）と一緒に保管する際に、整理が容易となる。
【発明の効果】
【００２５】
本発明により、ユーザーは、手軽に希望する音楽・映像データを入手することができ、簡単な操作で当該データを再生することができるとともに、写真・歌詞等の付加価値の付いた印刷媒体を使用することにより、ユーザーの所有欲を満足させることができる。
そして、企業のロゴ・キャラクターを印刷した印刷媒体を販売・配布することによって、効果的な宣伝機能を発揮する等の優れた効果を得ることができる。
【図面の簡単な説明】
【００２６】
【図１】本発明の実施の形態に係る音楽・映像データ配信サーバの概要構成を示す機能ブロック図である。
【図２】本発明の実施の形態に係る音楽・映像再生装置及び印刷媒体の概要構成を示す機能ブロック図である。
【図３】本発明の実施の形態に係る識別情報読取部のイメージ図である。
【図４】本発明の実施の形態に係る印刷媒体の表面のイメージ図である。
【図５】本発明の実施の形態に係る印刷媒体の裏面のイメージ図である。
【図６】本発明の実施の形態に係る識別情報の読み込みから音楽・映像データのダウンロード及び再生を行う手順を示すフローチャートである。
【図７】本発明の実施の形態に係る音楽・映像再生装置のイメージ図である。
【発明を実施するための形態】
【００２７】
以下、図面を参照しつつ、本発明の実施の形態について説明する。なお、本発明の実施の形態については、音楽・映像再生装置は音楽・映像の双方のデータに対応する装置について説明するが、当該装置から映像再生手段を省略することにより、音楽データのみに対応する音楽再生装置とすることも可能である。
【００２８】
なお、本実施の形態の説明としては、通信ネットワークとしてインターネットを利用しているが、これは例示であって、イントラネット等の他の通信ネットワーク環境下においても実施可能である。
【００２９】
本発明の実施の形態に係る音楽・映像データ配信システムの構成について説明をする。図１は音楽・映像データ配信サーバの構成を示す機能ブロック図であり、図２は音楽・映像再生装置及び印刷媒体の構成を示す機能ブロック図である。
本発明の実施の形態に係る音楽・映像データ配信システムは、音楽・映像データを格納する音楽・映像データ配信サーバ１０と、音楽・映像再生装置２０とが、インターネット１を介して、相互に接続された環境下におかれている。
【００３０】
音楽・映像データ配信サーバ１０、及び音楽・映像再生装置２０は、経路制御装置、電話回線、ＬＡＮ（ローカル・エリア・ネットワーク）等を経由してインターネット１に接続されている。
【００３１】
音楽・映像データ配信サーバ１０の制御手段１１は、ＣＰＵ等から構成され、各部の制御や、データの転送、種々の演算、データの一時的な格納等を行う。入力制御手段１２は、インターネット１を介して接続された音楽・映像再生装置２０から送信される識別情報に基づいた送信要求データを制御する。出力制御手段１３は、音楽・映像再生装置２０に送信される音楽・映像データを制御する。符号１４〜１６は、それぞれ以下のファイルが格納されているデータベースとなっている。
【００３２】
データベース１４には音楽データが格納され、データベース１５には映像データが格納され、データベース１６には識別情報に対応する音楽・映像データの属性情報が格納される。
【００３３】
プログラム１７は、音楽・映像データ配信サーバ１０と音楽・映像再生装置２０との接続を制御するプログラム、音楽・映像再生装置２０から送信された識別情報からデータベース１６に格納されている情報に従って、データベース１４に格納される当該音楽データ、データベース１５に格納される当該映像データを選択するプログラム、当該音楽・映像データを音楽・映像再生装置２０に送信するプログラム等が記憶されており、制御手段１１において用いられる。
【００３４】
音楽・映像再生装置２０の制御手段２１は、ＣＰＵ等から構成され、各手段の制御や、音楽・映像データの転送、種々の演算、データの一時的な格納等を行う。
光学式読取手段２２は、印刷媒体に印刷された識別情報の読取りを行い、識別情報読取部４０等から構成される。図３は識別情報読取部４０のイメージ図である。本実施例においては、識別情報読取部４０は音楽映像再生装置２０と一体をなしているが、識別情報読取部４０を独立させ、有線ケーブル等により音楽映像再生装置２０と接続するようすることもできる。また、印刷媒体保持具４２を備えることにより、読取りを行う印刷媒体３０を保持しておくことが可能である。
そして、識別情報読取部４０の数は任意であり、本実施例のように複数備えるようにすれば、一度に複数の印刷媒体３０をセットすることができ、任意の識別情報３１を選択することも可能となる。
送信要求手段２３は、音楽・映像データ配信サーバ２０に対して、識別情報に対応する音楽・映像データの送信を要求し、データ受信手段２４は、音楽・映像データ配信サーバ２０から送信される音楽・映像データの受信を行う。
記憶手段２５は、音楽・映像データ配信サーバから送信された音楽・映像データを格納し、ＲＡＭ・ＨＤＤ等から構成される。再生手段２６は、音楽・映像データを出力し、増幅回路・スピーカー・ディスプレイ等から構成される。
【００３５】
プログラム２７は、音楽・映像データ配信サーバ１０と音楽・映像再生装置２０との接続を制御するプログラム、識別情報を読取るためのプログラム、音楽・映像データ配信サーバ１０から受信した音楽・映像データを記憶手段２５に格納するためのプログラム、再生手段２６を制御するプログラム等が記憶されており、制御手段２１において用いられる。
【００３６】
印刷媒体３０に印刷される識別情報３１には、音楽データであれば、一曲のデータに限らず、アルバム単位の音楽データとして、複数曲の音楽データの識別情報とすることもできる。なお、音楽・映像データには、作曲者名・歌詞等のテキストデータ等の付加データを含ませることも可能である。
また、音楽・映像データの識別情報以外に印刷媒体３０自体の識別情報も含ませることができる。
図４乃至５は、印刷媒体３０のイメージ図となる。ここで、本実施例においては、印刷媒体３０を紙製のコンパクトディスクと同サイズ（直径１２ｃｍ）としているが、識別情報３１を印刷できる限りにおいて、その材質、サイズは任意とすることができる。そして、本実施例においては、識別情報としてＱＲコードを利用しているが、音楽・映像データを識別する情報が判別される限りにおいて、一次元バーコード・二次元バーコード等の識別子、数字・文字等が利用可能である。
【００３７】
印刷媒体３０の中心部が円状に刳り抜かれており、この内円部を識別情報読取部４０の印刷媒体保持具４２に嵌合することにより保持される。なお、本実施例においては、印刷媒体保持具４２に設ける凸状の突起４３に対応する凹状の切り欠き３４を印刷媒体３０の内円部に設けることにより、印刷媒体３０に印刷された識別情報３１が識別リーダー４１で読取り可能な位置に固定され、印刷媒体３０は識別情報３１が読取り可能な状態で保持されている。
【００３８】
また、識別情報３１が印刷される以外のスペースに写真３２、歌詞３３等を印刷することも可能であり、印刷媒体３０を識別情報読取部４０にセットした状態で、印刷媒体３０を見えることができるようにすることで、識別情報３１の読取り中、又は音楽・映像データを再生中に、写真３２等を同時に観賞することもできる。
【００３９】
次に、図６乃至図７を参照しつつ、音楽・映像再生装置２０が、印刷媒体３０から識別情報３１を読取り、音楽・映像データ配信サーバ１０から音楽・映像データを受信し、再生する手順について説明する。ここで、図６は本実施例の識別情報の読取りから再生までの手順を示すフローチャートであり、図７は音楽・映像再生装置２０のイメージ図となる。
【００４０】
まず、音楽・映像再生装置２０に備えられている三箇所の識別情報読取部４０から任意の読取部を選択し（ステップ１０１）、印刷媒体３０を表面が見える状態にして、識別情報読取部４０にセットすると、識別情報３１の読取りが開始される（ステップ１０２）。
読取られた識別情報３１が、記憶手段２５にすでに格納されている音楽・映像データと照合され（ステップ１０３）、当該識別情報３１に対応する音楽・映像データが記憶手段２５に格納されていなければ、音楽・映像データ配信サーバ１０に対して、送信要求手段２５により当該データの送信要求を行う（ステップ１０４）。音楽・映像データ配信サーバ１０が当該送信要求を処理し、当該データが送信され、データ受信手段２４によって、音楽・映像再生装置２０が当該データを受信し（ステップ１０５）、当該データが記憶手段２５に格納される（ステップ１０６）。そして、当該データの再生が開始される（ステップ１０７）。
前記照合の結果、当該識別情報３１に対応する音楽・映像データが記憶手段２５に格納されている場合には、送信要求することなく、当該データの再生が開始される（ステップ１０７）。
【００４１】
ここで、任意の識別情報読取部４０を選択することとしているが、すでに複数の読取り部に印刷媒体３０がすでにセットされているような場合には、印刷媒体選択ボタン５６によって、識別情報３１を読取る識別情報読取部４０を選択することも可能である。
また、印刷媒体選択ボタン５６を設けずに、最新時に印刷媒体３０がセットされた識別情報読取部４０が選択されるというようなことも可能である。
なお、識別情報読取部４０を複数設けずに、一とすれば、識別情報読取部の選択をすることなしに、印刷媒体３０を表面が見える状態にして、識別情報読取部４０にセットすれば、識別情報３１の読取りが開始される（ステップ１０２）。
【００４２】
また、前記ステップ１０６の後、若しくはステップ１０３での照合後にすでに格納されていると判断された後に、当該データの再生を開始させずに、ユーザーが再生ボタン５３の操作により再生を開始するというようにすることも可能である。
【００４３】
本実施例においては、音楽・映像再生装置２０は、印刷媒体３０を識別情報読取部４０にセットした状態で、印刷媒体３０が可視できるようになっているが、埃対策のために、アクリル等の材質の透明カバーを装着することが望ましい。
【００４４】
また、音楽・映像再生装置２０に装備されている液晶ディスプレイ５１は、映像表示用のものであるが、音楽データに含まれる歌詞データ等を表示するように設定することも可能である。
【符号の説明】
【００４５】
１            インターネット
１０            音楽・映像データ配信サーバ
１１            音楽・映像データ配信サーバの制御手段
１２            音楽・映像データ配信サーバの入力制御手段
１３            音楽・映像データ配信サーバの出力制御手段
１４            音楽データのデータベース
１５            映像データのデータベース
１６            音楽・映像データ情報のデータベース
１７            音楽・映像データ配信サーバのプログラム
２０            音楽・映像再生装置
２１            音楽・映像再生装置の制御手段
２２            音楽・映像再生装置の光学式読取手段
２３            音楽・映像再生装置の送信要求手段
２４            音楽・映像再生装置の受信制御手段
２５            音楽・映像再生装置の記憶手段
２６            音楽・映像再生装置の再生手段
２７            音楽・映像再生装置のプログラム
３０            印刷媒体
３１            音楽・映像データ情報の識別情報
３２            印刷媒体に印刷された写真
３３            印刷媒体に印刷された歌詞
３４            切り欠き
４０            識別情報読取部
４１            識別情報リーダー
４２            印刷媒体保持具
４３            突起
５１            液晶ディスプレイ
５２            スピーカー
５３            再生ボタン
５４            早送りボタン
５５            巻き戻しボタン
５６            印刷媒体選択ボタン
５７            ネットワーク・アクセスランプ
５８            電源ボタン
５９            一時停止ボタン
６０            透明アクリルカバー
【図１】
2011257890.tif 000003
【図２】
2011257890.tif 000004
【図３】
2011257890.tif 000005
【図４】
2011257890.tif 000006
【図５】
2011257890.tif 000007
【図６】
2011257890.tif 000008
【図７】
2011257890.tif 000009